(57)【要約】【課題】物品を収容する用途のほか、電気器具に必要な電力を供給することができる、太陽エネルギー充電装置付きリュックサックの提供。【解決手段】本考案の太陽エネルギー充電装置付きリュックサックは、電力設備、蓄電装置及び接続端子を含んで成り、そのうち、前記電力設備はリュックサックに設けた複数のポケットに配置され、且つ各種結合装置により光に向かう箇所に設置され、前記電力設備は太陽エネルギーパネルを備え、前記太陽エネルギーパネルには前記蓄電装置が電気的に接続され、さらに前記蓄電装置には充電槽及び複数の接続端子が接続された蓄電池が設けられ、これにより、太陽エネルギーパネルが光線を電気エネルギーに変換して蓄電装置で電力を保存し、さらに電気器具を前記接続端子に差し込むと、前記電気器具が前記蓄電装置の蓄電池を介して必要な電力を獲得することができることを特徴とする。【選択図】図１
0003131492.tif 000002
【実用新案登録請求の範囲】
【請求項１】
太陽エネルギー充電装置付きリュックサックであって、電力設備、蓄電装置及び接続端子を含んで成り、そのうち、前記太陽エネルギー充電装置付きリュックサックは前記電力設備を配置するための複数のポケットを備え、且つ、前記電力設備は各種結合装置により前記太陽エネルギー充電装置付きリュックサックの光に向かう箇所に設置され、また、前記電力設備には太陽エネルギーパネルが設置され、前記太陽エネルギーパネルには前記蓄電装置が電気的に接続され、さらに前記蓄電装置には充電槽及び蓄電池が設けられ、且つ、前記蓄電装置の蓄電池には複数の接続端子が接続され、これにより、太陽エネルギーパネルが光線を電気エネルギーに変換した後、同時に蓄電装置で電力を保存し、さらに電気器具を前記太陽エネルギー充電装置付きリュックサックの接続端子に差し込むと、前記電気器具が前記蓄電装置の蓄電池を介して必要な電力を獲得することができることを特徴とする、太陽エネルギー充電装置付きリュックサック。       
【請求項２】
前記結合装置がボタン、ファスナー、面ファスナー及び関連の連結固定機能を備えた装置である、請求項１に記載の太陽エネルギー充電装置付きリュックサック。
【請求項３】
前記電力設備が、前記太陽エネルギー充電装置付きリュックサックの肩ひも、リュックサック表面及びリュックサックの光に向かう箇所に設置される、請求項１に記載の太陽エネルギー充電装置付きリュックサック。    
【請求項４】
前記蓄電装置がさらに電源端子を含み、且つ、前記電源端子に使用者が直接充電器を対応して接続させ、さらに前記充電器をコンセントに差し込んで前記蓄電装置に対し充電を行うことができる、請求項１に記載の太陽エネルギー充電装置付きリュックサック。
【請求項５】
前記電力設備がさらに手動発電機を含み、使用者が前記手動発電機を揺らしたり、押したりという動作を行い、直接前記蓄電装置に対し充電を行うことができる、請求項１に記載の太陽エネルギー充電装置付きリュックサック。  
【請求項６】
前記電気器具が懐中電灯、カメラ、音楽プレーヤー、電気ヒーター、ハンドヘルド型通信装置、全地球測位システム（GPS）、発光表示装置及び関連の電力を消費する携帯設備である、請求項１に記載の太陽エネルギー充電装置付きリュックサック。
【請求項７】
前記接続端子が音源端子、信号端子、電源端子及び関連の出入力端子とする、請求項１に記載の太陽エネルギー充電装置付きリュックサック。        
【請求項８】
前記太陽エネルギー充電装置付きリュックサックをブリーフケース、手提げかばん、登山リュック及び関連の携帯用リュックサックとした、請求項１に記載の太陽エネルギー充電装置付きリュックサック。
【考案の詳細な説明】
【技術分野】
【０００１】
本考案は太陽エネルギー充電装置付きリュックサックに関し、詳細には、光線を電気エネルギーに変換して蓄電装置で保存した後、電気器具を太陽エネルギー充電装置付きリュックサックの接続端子に接続し、電気器具に蓄電装置の蓄電池を介して必要な電力を供給する、太陽エネルギー充電装置付きリュックサックに関する。
【背景技術】
【０００２】
一般的な従来のリュックサックはその使用において、内部に物品を収容するためのみに用いられる。特に登山用のリュックサックの中には、必要時に備えるため、登山者が懐中電灯、カメラ、電気ヒーター、ハンドヘルド型通信装置等関連の電力を消費する設備を入れて携帯するが、登山途中で電気器具の電力が尽きてしまうと、隨時電力補充の動作を行うことができないため、登山前に予め大量の電池を用意し、長時間の使用に備えなければならず、登山者にとって重量上の負担となるだけでなく、環境保護の概念からも理想的でない。
【０００３】
このため、上述の欠点をいかに排除するかが本考案の解決する技術的問題点である。
【考案の開示】
【考案が解決しようとする課題】
【０００４】
本考案の目的は、物品を収容する用途のほか、電気器具に必要な電力を供給することができる、太陽エネルギー充電装置付きリュックサックを提供することにある。  
【課題を解決するための手段】
【０００５】
以下、本考案について図面、符号、実施例に基づき詳細に説明する。図１、図２、図３に示すように、本考案の太陽エネルギー充電装置付きリュックサックAは、電力設備Ｂ、蓄電装置Ｃ及び接続端子Ｄから構成される。
【０００６】
そのうち、太陽エネルギー充電装置付きリュックサックＡは複数のポケットＡ１が設けられ、且つ、これら複数のポケットＡ１内に電力設備Ｂが配置される。この電力設備Ｂは各種結合装置Ａ２を介して太陽エネルギー充電装置付きリュックサックＡ及び光に向かう箇所の複数のポケットＡ１上に取り付けられる。
【０００７】
そのうち、電力設備Ｂは光に向かう箇所に対面し太陽エネルギーパネルＢ１が設置され、且つ、この太陽エネルギーパネルＢ１に蓄電装置Ｃが電気的に接続されて設けられる。そのうち、蓄電装置Ｃは充電槽Ｃ１及び蓄電池Ｃ２がそれぞれ設置され、且つ、この蓄電池Ｃ２に電気的に接続された複数の接続端子Ｄが設けられる。
【０００８】
そのうち、蓄電装置Ｃの充電槽Ｃ１には導電端子Ｃ３が設けられ、且つ、この導電端子Ｃ３に充電池Ｃ４を電気的に接続することができ、また、この充電池Ｃ４は独立した給電装置とするか、導電端子Ｃ３より電力設備Ｂに必要な電力を供給することができる。
【０００９】
これにより、光線を電気エネルギーに変換し、蓄電装置Ｃを介して保存した後、電力を消費する携帯設備電気器具Ｅを太陽エネルギー充電装置付きリュックサックＡの接続端子Ｄに差し込むと、蓄電装置Ｃの蓄電池Ｃ２が電力を消費する携帯設備電気器具Ｅに必要な電力を供給することができる。        
【考案の効果】
【００１０】
本考案の進歩性と実用性をよりはっきりと示すため、以下、従来品と比較して分析する。
《従来品の欠点》
一、物品を収容することのみに用いることができる。
二、事前に大量の電池を用意する必要があり、重量の負担となる。
三、電池の交換が環境保護の概念にそぐわない。
《本考案の利点》
一、物品を収容する用途のほか、電気器具に必要な電力を供給することができる。
二、事前に電池を用意する必要がなく、重量の負担を減少できる。
三、電力設備に直接電力を供給でき、電池の使用が環境保護の概念にそぐわないという状況を減少できる。
四、太陽エネルギーパネルを介して充電を行うことができる。
五、第四点を受け、電池交換の費用を減少することができる。
六、進歩性と実用性を備えている。
七、産業的競争力を備えている。        
【考案を実施するための最良の形態】
【００１１】
本考案の実施方法は、太陽エネルギー充電装置付きリュックサックを提供するものであり、図４に示すように、この太陽エネルギー充電装置付きリュックサックＡは複数のポケットＡ１が設置され、且つ、この複数のポケットＡ１に電力設備Ｂが配置され、また、この電力設備Ｂは各種結合装置Ａ２により太陽エネルギー充電装置付きリュックサックＡ及び光に向かう箇所の複数のポケットＡ１上に設置される。
【００１２】
電力設備Ｂの太陽エネルギーパネルＢ１が光線の照射を受けると、太陽エネルギーパネルＢ１に電気的に接続された蓄電装置Ｃを介して光線を電気エネルギーに変換して保存する動作が行われ、且つこの蓄電装置Ｃは接続端子Ｄを介し給電を行うという目的を達することができる。また、この接続端子Ｄに電気器具Ｅを差し込むと、電気器具Ｅが必要とする電力を供給することができる。
【００１３】
そのうち、蓄電装置Ｃの充電槽Ｃ１には導電端子Ｃ３が設けられ、且つ、この導電端子Ｃ３は充電池Ｃ４を電気的に接続することができ、また、この充電池Ｃ４は独立した給電装置とするか、導電端子Ｃ３を介して電力設備Ｂに必要な電力を供給することができる。
【００１４】
そのうち、電気器具Ｅは、懐中電灯Ｅ１、カメラＥ２、音楽プレーヤーＥ３、電気ヒーターＥ４、ハンドヘルド型通信装置Ｅ５、全地球測位システム（GPS）Ｅ６、発光表示装置Ｅ７及び関連の電力を消費する携帯設備とすることができ、また、接続端子Ｄは音源端子、信号端子、電源端子及び関連の出入力端子とすることができる。
【００１５】
図５に示すように、蓄電装置Ｃはさらに電源端子Ｆを含み、且つ、この電源端子Ｆには充電器Ｆ１を接続し、この充電器Ｆ１をコンセントに挿入して蓄電装置Ｃに充電を行うことができる。また、電力設備Ｂはさらに手動発電機Ｇを含み、使用者が手動発電機Ｇを揺らすなどして蓄電装置Ｃに充電を行うこともできる。
【００１６】
図６に示すように、電力設備Ｂはさらに、太陽エネルギー充電装置付きリュックサックＡの肩ひも、バッグ表面及び関連の光に向かう箇所に配置でき、且つ、結合装置Ａ２はボタン、ファスナー、面ファスナー及び関連の連結固定ができる装置とすることができる。また、太陽エネルギー充電装置付きリュックサックＡはさらに、ブリーフケース、手提げかばん、登山リュック及び関連の携帯用リュックサック等とすることもできる。
【００１７】
以上で述べた説明は本考案の最良の実施例に基づくものであり、本考案の特許範囲を制限するものではなく、本考案の明細書及び図面の内容を運用した同等効果を得る構造を直接または間接的にその他関連技術領域に運用したものはすべて本考案の要旨の範囲内に属するものとみなす。
【００１８】
上述のように、本考案は従来技術を打破する構造の下、確実にその目的とする効果を達成することができ、また、関連技術を知る者が容易に思いつくものではなく、さらに、本考案はその出願以前に公開されたことがなく、その進歩性、実用性は実用新案登録の出願要件を満たしているため、法に基づきここに実用新案登録を出願するものである。
【図面の簡単な説明】
【００１９】
【図１】本考案の立体図である。
【図２】本考案の分解図である。
【図３】本考案の太陽エネルギー装置のダイアグラムである。
【図４】本考案の実施例図の１である。
【図５】本考案の実施例図の２である。
【図６】本考案の実施例図の３である。
【符号の説明】
【００２０】
Ａ        太陽エネルギー充電装置付きリュックサック
Ａ１      ポケット
Ａ２      結合装置
Ｂ        電力設備
Ｂ１      太陽エネルギーパネル
Ｃ        蓄電装置
Ｃ１      充電槽
Ｃ２      蓄電池
Ｃ３      導電端子
Ｃ４      充電池
Ｄ        接続端子
Ｅ        電気器具
Ｅ１      懐中電灯
Ｅ２      カメラ
Ｅ３      音楽プレーヤー
Ｅ４      電気ヒーター
Ｅ５      ハンドヘルド型通信装置
Ｅ６      全地球測位システム（GPS）
Ｅ７      発光表示装置
Ｆ        電源端子
Ｆ１      充電器
Ｇ        手動発電機
【図１】
0003131492.tif 000003
【図２】
0003131492.tif 000004
【図３】
0003131492.tif 000005
【図４】
0003131492.tif 000006
【図５】
0003131492.tif 000007
【図６】
0003131492.tif 000008